(57)【要約】【課題】シンプルな構成によりナットがボルトから緩みにくくなるような締結器具を提供する。【解決手段】締結器具は、ヘッド部１２、ヘッド部１２から延びるよう設けられ第１の方向に巻く雄ネジ部分１４ａが外周面に形成された棒状の第１のネジ部１４および第１のネジ部１４の先端から延びるよう設けられ第１の方向とは逆方向の第２の方向に巻く雄ネジ部分１６ａが外周面に形成された棒状の第２のネジ部１６を有するボルト１０と、第１のネジ部１４の雄ネジ部分１４ａが螺合する雌ネジ部分３２ａが内周面に形成されたネジ穴３２が設けられている本体ナット３０と、第２のネジ部１６の雄ネジ部分１６ａが螺合する雌ネジ部分２２ａが内周面に形成されたネジ穴２２が設けられている補助ナット２０とを備えている。【選択図】図１
2020109313.tif 000002
【特許請求の範囲】
【請求項１】
ヘッド部、前記ヘッド部から延びるよう設けられ第１の方向に巻く雄ネジ部分が外周面に形成された棒状の第１のネジ部および前記第１のネジ部の先端から延びるよう設けられ前記第１の方向とは逆方向の第２の方向に巻く雄ネジ部分が外周面に形成された棒状の第２のネジ部を有するボルトと、
前記第１のネジ部の前記雄ネジ部分が螺合する雌ネジ部分が内周面に形成されたネジ穴が設けられている本体ナットと、
前記第２のネジ部の前記雄ネジ部分が螺合する雌ネジ部分が内周面に形成されたネジ穴が設けられている補助ナットと、
を備えた、締結器具。
【請求項２】
前記ボルトにおいて前記第１のネジ部の直径は前記第２のネジ部の直径よりも大きくなっている、請求項１記載の締結器具。
【請求項３】
前記補助ナットには、前記ネジ穴に連通し、前記ボルトの前記第１のネジ部が収容可能な中空部分が形成されている、請求項１または２記載の締結器具。
【請求項４】
前記本体ナットの前記ネジ穴の内周面に形成されている前記雌ネジ部分は、前記ボルトの前記第１のネジ部における右ネジの前記雄ネジ部分が螺合するものであり、前記補助ナットの前記ネジ穴の内周面に形成されている前記雌ネジ部分は、前記ボルトの前記第２のネジ部における左ネジの前記雄ネジ部分が螺合するものである、請求項１乃至３のいずれか一項に記載の締結器具。
【請求項５】
前記本体ナットの前記ネジ穴の内周面に形成されている前記雌ネジ部分は、前記ボルトの前記第１のネジ部における左ネジの前記雄ネジ部分が螺合するものであり、前記補助ナットの前記ネジ穴の内周面に形成されている前記雌ネジ部分は、前記ボルトの前記第２のネジ部における右ネジの前記雄ネジ部分が螺合するものである、請求項１乃至３のいずれか一項に記載の締結器具。
【請求項６】
前記本体ナットと前記補助ナットとの間に配置される、円筒形状部材を更に備えた、請求項１乃至５のいずれか一項に記載の締結器具。
【請求項７】
前記本体ナットと前記補助ナットとの間に配置されるスプリングワッシャーを更に備え、
前記スプリングワッシャーは、第１の端部および第２の端部を有しており、
前記本体ナットは、前記スプリングワッシャーの前記第１の端部が引っ掛かる複数の段差部分が形成された段差部を有しており、
前記補助ナットは、前記スプリングワッシャーの前記第２の端部が引っ掛かる複数の段差部分が形成された段差部を有している、請求項１乃至５のいずれか一項に記載の締結器具。
【請求項８】
前記本体ナットには、前記スプリングワッシャーの貫通穴を通る突起部が設けられており、
前記補助ナットには、前記本体ナットの前記突起部に接触可能であり、前記スプリングワッシャーの貫通穴を通る突起部が設けられている、請求項７記載の締結器具。
【発明の詳細な説明】
【技術分野】
【０００１】
本発明は、ボルトおよびナットからなる締結器具に関する。
【背景技術】
【０００２】
従来から、例えばある部材に別の部材を取り付ける際に、ボルトおよびナットを用いる方法が知られている。このようなボルトおよびナットを用いた締結構造としては、例えば特許文献１等に開示されるものがある。特許文献１に開示される締結構造では、締結状態では緩まず、メンテナンス時においては簡単に緩めることができて、ボルトやナットの再利用が可能となる。
【先行技術文献】
【特許文献】
【０００３】
【特許文献１】特開２０１８−１３８８１４号公報
【発明の概要】
【発明が解決しようとする課題】
【０００４】
従来では、ボルトにナットが締結された状態でナットが緩みにくくするには複雑な構造とする必要があり、コストが大きくなったり締結を行う作業に手間がかかったりするという問題があった。
【０００５】
本発明は、上記の点を考慮してなされたものであり、シンプルな構成によりナットがボルトから緩みにくくなるような締結器具を提供することを目的とする。
【課題を解決するための手段】
【０００６】
本発明の締結器具は、ヘッド部、前記ヘッド部から延びるよう設けられ第１の方向に巻く雄ネジ部分が外周面に形成された棒状の第１のネジ部および前記第１のネジ部の先端から延びるよう設けられ前記第１の方向とは逆方向の第２の方向に巻く雄ネジ部分が外周面に形成された棒状の第２のネジ部を有するボルトと、前記第１のネジ部の前記雄ネジ部分が螺合する雌ネジ部分が内周面に形成されたネジ穴が設けられている本体ナットと、前記第２のネジ部の前記雄ネジ部分が螺合する雌ネジ部分が内周面に形成されたネジ穴が設けられている補助ナットと、を備えたことを特徴とする。
【０００７】
このような締結器具によれば、ボルトにおいて第１のネジ部および第２のネジ部はネジ山の巻く向きが逆向きとなっており、第１のネジ部および第２のネジ部にそれぞれ本体ナットおよび補助ナットが取り付けられているため、締結器具により締結される部材に衝撃が与えられたり、ボルトや本体ナット自体に衝撃が与えられたりすることにより、本体ナットに対してボルトの第１のネジ部から緩む方向の力がかかったとしても、本体ナットがボルトの第１のネジ部から緩むことが防止される。
【０００８】
本発明の締結器具においては、前記ボルトにおいて前記第１のネジ部の直径は前記第２のネジ部の直径よりも大きくなっていてもよい。
【０００９】
また、前記補助ナットには、前記ネジ穴に連通し、前記ボルトの前記第１のネジ部が収容可能な中空部分が形成されていてもよい。
【００１０】
また、前記本体ナットの前記ネジ穴の内周面に形成されている前記雌ネジ部分は、前記ボルトの前記第１のネジ部における右ネジの前記雄ネジ部分が螺合するものであり、前記補助ナットの前記ネジ穴の内周面に形成されている前記雌ネジ部分は、前記ボルトの前記第２のネジ部における左ネジの前記雄ネジ部分が螺合するものであってもよい。
【００１１】
あるいは、前記本体ナットの前記ネジ穴の内周面に形成されている前記雌ネジ部分は、前記ボルトの前記第１のネジ部における左ネジの前記雄ネジ部分が螺合するものであり、前記補助ナットの前記ネジ穴の内周面に形成されている前記雌ネジ部分は、前記ボルトの前記第２のネジ部における右ネジの前記雄ネジ部分が螺合するものであってもよい。
【００１２】
本発明の締結器具は、前記本体ナットと前記補助ナットとの間に配置される、円筒形状部材を更に備えていてもよい。
【００１３】
本発明の締結器具は、前記本体ナットと前記補助ナットとの間に配置されるスプリングワッシャーを更に備え、前記スプリングワッシャーは、第１の端部および第２の端部を有しており、前記本体ナットは、前記スプリングワッシャーの前記第１の端部が引っ掛かる複数の段差部分が形成された段差部を有しており、前記補助ナットは、前記スプリングワッシャーの前記第２の端部が引っ掛かる複数の段差部分が形成された段差部を有していてもよい。
【００１４】
この場合、前記本体ナットには、前記スプリングワッシャーの貫通穴を通る突起部が設けられており、前記補助ナットには、前記本体ナットの前記突起部に接触可能であり、前記スプリングワッシャーの貫通穴を通る突起部が設けられていてもよい。
【発明の効果】
【００１５】
本発明の締結器具によれば、シンプルな構成によりナットがボルトから緩みにくくなるようにすることができる。
【図面の簡単な説明】
【００１６】
【図１】本発明の第１の実施の形態による締結器具の構成を示す側面図である。
【図２】図１に示す締結器具におけるＬＲボルトの構成を示す側面図である。
【図３】図１に示す締結器具における補助ナットの構成を示す斜視図である。
【図４】図３に示す補助ナットの側面図である。
【図５】図１に示す締結器具における本体ナットの構成を示す斜視図である。
【図６】図５に示す本体ナットの側面図である。
【図７】図１に示す締結器具におけるスリーブの構成を示す斜視図である。
【図８】図７に示すスリーブの側面図である。
【図９】本発明の第２の実施の形態による締結器具の構成の一例を示す側面図である。
【図１０】図９に示す締結器具における補助ナットの構成を示す斜視図である。
【図１１】図１０に示す補助ナットの側面図である。
【図１２】図１０に示す補助ナットの底面図である。
【図１３】図９に示す締結器具における本体ナットの構成を示す斜視図である。
【図１４】図１３に示す本体ナットの側面図である。
【図１５】図１３に示す本体ナットの上面図である。
【図１６】図９に示す締結器具におけるスプリングワッシャーの構成を示す側面図である。
【図１７】図１６に示すスプリングワッシャーの構成を示す上面図である。
【図１８】本発明の第３の実施の形態による締結器具の構成を示す側面図である。
【図１９】図１８に示す締結器具における補助ナットの構成を示す斜視図である。
【図２０】図１９に示す補助ナットの側面図である。
【図２１】図１８に示す締結器具における本体ナットの構成を示す斜視図である。
【図２２】図２１に示す本体ナットの側面図である。
【発明を実施するための形態】
【００１７】
〔第１の実施の形態〕
以下、図面を参照して本発明の第１の実施の形態について説明する。図１乃至図８は、本発明の第１の形態に係る締結器具である。本実施の形態に係る締結器具は、例えば第１の部材１００に第２の部材１０２を固定するものである。このような締結器具の構成の詳細について以下に説明する。
【００１８】
図１に示すように、本実施の形態に係る締結器具は、ＬＲボルト１０と、補助ナット２０と、本体ナット３０と、円筒形状のスリーブ４０とを備えており、スリーブ４０を間に挟んだ状態で補助ナット２０および本体ナット３０がＬＲボルト１０に取り付けられるようになっている。このような締結器具の各構成要素の詳細について以下に説明する。
【００１９】
図２に示すように、ＬＲボルト１０は、ヘッド部１２と、ヘッド部１２から延びるよう設けられた棒状の第１のネジ部１４と、第１のネジ部１４の先端から延びるよう設けられた棒状の第２のネジ部１６とを有している。ここで、第１のネジ部１４における長手方向に延びる中心線と第２のネジ部１６における長手方向に延びる中心線とが一致するようになっている。また、第１のネジ部１４の外周面には右ネジの雄ネジ部分１４ａが形成されている。一方、第２のネジ部１６の外周面には左ネジの雄ネジ部分１６ａが形成されている。このように、第１のネジ部１４および第２のネジ部１６は、ネジ山の巻く向きが逆向きとなっている。また、図２に示すように、ＬＲボルト１０において第１のネジ部１４の直径は第２のネジ部１６の直径よりも大きくなっている。
【００２０】
図３および図４に示すように、補助ナット２０は例えば六角ナットから構成されており、この補助ナット２０には、断面が略円形であるネジ穴２２が形成されている。また、ネジ穴２２の内周面には、ＬＲボルト１０の第２のネジ部１６における左ネジの雄ネジ部分１６ａに対応する雌ネジ部分２２ａが形成されている。そして、補助ナット２０のネジ穴２２の雌ネジ部分２２ａにＬＲボルト１０の第２のネジ部１６の雄ネジ部分１６ａが螺合されることにより、ＬＲボルト１０の第２のネジ部１６に補助ナット２０が取り付けられるようになっている。より詳細には、ＬＲボルト１０の第２のネジ部１６に対して、補助ナット２０を図３における左回り（反時計回りの方向）に回転させながらネジ穴２２の雌ネジ部分２２ａに第２のネジ部１６の雄ネジ部分１６ａが嵌まり込むようにする。また、図４に示すように、補助ナット２０におけるネジ穴２２の下方には、ＬＲボルト１０の第１のネジ部１４が収容可能な中空部分２４が形成されている。ここで、ネジ穴２２および中空部分２４は互いに連通しており、これらのネジ穴２２および中空部分２４は補助ナット２０を貫通している。このような中空部分２４が補助ナット２０に形成されていることにより、補助ナット２０の底面とＬＲボルト１０の第１のネジ部１４とが接触することによってこの補助ナット２０の底面とスリーブ４０との間に隙間が生じてしまうことを防止することができる。
【００２１】
図５および図６に示すように、本体ナット３０は例えば六角ナットから構成されており、この本体ナット３０には、断面が略円形であるネジ穴３２が形成されている。また、ネジ穴３２の内周面には、ＬＲボルト１０の第１のネジ部１４における右ネジの雄ネジ部分１４ａに対応する雌ネジ部分３２ａが形成されている。そして、本体ナット３０のネジ穴３２の雌ネジ部分３２ａにＬＲボルト１０の第１のネジ部１４の雄ネジ部分１４ａが螺合されることにより、ＬＲボルト１０の第１のネジ部１４に本体ナット３０が取り付けられるようになっている。より詳細には、ＬＲボルト１０の第１のネジ部１４に対して、本体ナット３０を図５における右回り（時計回りの方向）に回転させながらネジ穴３２の雌ネジ部分３２ａに第１のネジ部１４の雄ネジ部分１４ａが嵌まり込むようにする。
【００２２】
図７および図８に示すように、スリーブ４０は例えば円筒形状のものからなる。具体的には、断面が円形である貫通穴４２がスリーブ４０に形成されている。ここで、貫通穴４２の直径の大きさは、ＬＲボルト１０の第１のネジ部１４の直径よりも大きくなっている。
【００２３】
次に、本実施の形態の締結器具を用いて第１の部材１００に第２の部材１０２を固定するときの動作について以下に説明する。
【００２４】
最初に、ＬＲボルト１０の第１のネジ部１４および第２のネジ部１６を、第１の部材１００および第２の部材１０２にそれぞれ形成されている貫通穴（図示せず）に通すことにより、ＬＲボルト１０の第１のネジ部１４および第２のネジ部１６が第２の部材１０２から突出するようにする。次に、本体ナット３０をＬＲボルト１０の第１のネジ部１４に取り付ける。具体的には、ＬＲボルト１０の第１のネジ部１４に対して、本体ナット３０を図５における右回り（時計回りの方向）に回転させながらネジ穴３２の雌ネジ部分３２ａに第１のネジ部１４の雄ネジ部分１４ａが嵌まり込むようにする。また、本体ナット３０が第２の部材１０２に接触するまで本体ナット３０をＬＲボルト１０の第１のネジ部１４に締め付ける。次に、ＬＲボルト１０の第１のネジ部１４および第２のネジ部１６にスリーブ４０を取り付ける。具体的には、ＬＲボルト１０の第１のネジ部１４および第２のネジ部１６が、スリーブ４０の貫通穴４２を貫通するようにする。また、この際に、スリーブ４０の底面が本体ナット３０に接触するようにする。その後、本体ナット３０との間でスリーブ４０を挟みこむよう、補助ナット２０をＬＲボルト１０の第２のネジ部１６に取り付ける。具体的には、ＬＲボルト１０の第２のネジ部１６に対して、補助ナット２０を図３における左回り（反時計回りの方向）に回転させながらネジ穴２２の雌ネジ部分２２ａに第２のネジ部１６の雄ネジ部分１６ａが嵌まり込むようにする。また、この際に、スリーブ４０の上面が補助ナット２０の底面に接触するようにする。このようにして、図１に示すように、スリーブ４０を挟んだ状態で本体ナット３０および補助ナット２０がそれぞれＬＲボルト１０の第１のネジ部１４および第２のネジ部１６に取り付けられるようになる。
【００２５】
このような締結器具では、ＬＲボルト１０において第１のネジ部１４および第２のネジ部１６はネジ山の巻く向きが逆向きとなっているため、本体ナット３０および補助ナット２０がＬＲボルト１０から緩みにくくなるという作用効果が得られる。より詳細には、ナットがボルトから緩む要因としては、第１の部材１００や第２の部材１０２等に衝撃が与えられたり、ナットやボルト自体に衝撃が与えられたりすることにより、ナットに対してボルトに締め付けられる方向と逆方向の力がかかることにより、ナットがボルトから緩んでしまうことが考えられる。これに対し、本実施の形態では、上述したように、ＬＲボルト１０において第１のネジ部１４および第２のネジ部１６はネジ山の巻く向きが逆向きとなっており、第１のネジ部１４および第２のネジ部１６にそれぞれ本体ナット３０および補助ナット２０が取り付けられている。このため、第１の部材１００や第２の部材１０２等に衝撃が与えられたり、ＬＲボルト１０や本体ナット３０自体に衝撃が与えられたりすることにより、本体ナット３０に対してＬＲボルト１０の第１のネジ部１４から緩む方向の力がかかったとしても、補助ナット２０はＬＲボルト１０の第２のネジ部１６から緩まないため、本体ナット３０がＬＲボルト１０の第１のネジ部１４から緩むことが防止される。
【００２６】
より詳細に説明すると、もし仮に、第１のネジ部１４および第２のネジ部１６のネジ山の巻く向きが同じであった場合には、本体ナット３０に対してＬＲボルト１０の第１のネジ部１４から緩む方向の力がかかったときに、例えばスリーブ４０を介して補助ナット２０にも同じ向きの力がかかった場合には補助ナット２０がＬＲボルト１０の第２のネジ部１６から緩んでしまうおそれがある。しかしながら、本実施の形態では、ＬＲボルト１０において第１のネジ部１４および第２のネジ部１６はネジ山の巻く向きが逆向きとなっているため、本体ナット３０に対してＬＲボルト１０の第１のネジ部１４から緩む方向の力がかかったときに、例えばスリーブ４０を介して補助ナット２０にも同じ向きの力がかかった場合でも、この力の向きは補助ナット２０を第２のネジ部１６に締め付けようとする向きとなるため、補助ナット２０がＬＲボルト１０の第２のネジ部１６から緩んでしまうことはない。また、本体ナット３０に対してＬＲボルト１０の第１のネジ部１４から緩む方向の力がかかったときに、補助ナット２０に対して力がかからなかった場合でも、補助ナット２０およびスリーブ４０がＬＲボルト１０に対して位置固定となるため本体ナット３０がＬＲボルト１０の第１のネジ部１４から緩んでしまうことはない。
【００２７】
なお、本実施の形態の締結器具は、上記の構成に限定されることはない。本実施の形態の締結器具の他の例として、ＬＲボルト１０の第１のネジ部１４の外周面に、右ネジではなく左ネジの雄ネジ部分１４ａが形成されており、本体ナット３０のネジ穴３２の内周面に、左ネジの雄ネジ部分１４ａが螺合する雌ネジ部分３２ａが形成されていてもよい。この場合には、ＬＲボルト１０の第２のネジ部１６の外周面に、左ネジではなく右ネジの雄ネジ部分１６ａが形成され、補助ナット２０のネジ穴２２の内周面に、右ネジの雄ネジ部分１６ａが螺合する雌ネジ部分２２ａが形成されるようになる。このような締結器具でも、ＬＲボルト１０において第１のネジ部１４および第２のネジ部１６はネジ山の巻く向きが逆向きとなっているため、本体ナット３０がＬＲボルト１０から緩んでしまうことを抑制することができるようになる。
【００２８】
また、本実施の形態の締結器具において、スリーブ４０の設置を省略することもできる。具体的には、本体ナット３０の高さが図１、図５、図６に示す本体ナット３０の高さよりも十分に大きく、ＬＲボルト１０の第１のネジ部１４に本体ナット３０を取り付けた後にこのＬＲボルト１０の第２のネジ部１６に補助ナット２０を取り付けたときに本体ナット３０の上面と補助ナット２０の底面とが接触する場合には、スリーブ４０が設けられていなくても本体ナット３０がＬＲボルト１０の第１のネジ部１４から緩むことを防止することができる。
【００２９】
〔第２の実施の形態〕
次に、本発明の他の実施の形態について説明する。図９乃至図１７は、本発明の第２の形態に係る締結器具である。本実施の形態に係る締結器具も、例えば第１の部材１００に第２の部材１０２を固定するものである。このような締結器具の構成の詳細について以下に説明する。
【００３０】
図９に示すように、本実施の形態に係る締結器具は、ＬＲボルト１０と、補助ナット５０と、本体ナット６０と、スプリングワッシャー７０とを備えており、スプリングワッシャー７０を間に挟んだ状態で補助ナット５０および本体ナット６０がＬＲボルト１０に取り付けられるようになっている。このような締結器具の各構成要素の詳細について以下に説明する。なお、ＬＲボルト１０の構成は、第１の実施の形態において図２を用いて説明したＬＲボルト１０と同一の構成となっているためその説明を省略する。
【００３１】
図１０乃至図１２に示すように、補助ナット５０は例えば六角ナットから構成されており、この補助ナット５０の底面には、略円盤形状の段差部５６が取り付けられている。また、補助ナット５０には、断面が略円形であるネジ穴５２が形成されている。ここで、ネジ穴５２の内周面には、ＬＲボルト１０の第２のネジ部１６における左ネジの雄ネジ部分１６ａに対応する雌ネジ部分５２ａが形成されている。そして、補助ナット５０のネジ穴５２の雌ネジ部分５２ａにＬＲボルト１０の第２のネジ部１６の雄ネジ部分１６ａが螺合されることにより、ＬＲボルト１０の第２のネジ部１６に補助ナット５０が取り付けられるようになっている。より詳細には、ＬＲボルト１０の第２のネジ部１６に対して、補助ナット５０を図１０における左回り（反時計回りの方向）に回転させながらネジ穴５２の雌ネジ部分５２ａに第２のネジ部１６の雄ネジ部分１６ａが嵌まり込むようにする。また、図１０乃至図１２に示すように、段差部５６の底面には、後述するスプリングワッシャー７０の第２の端部７０ｂが引っ掛かるような複数の段差部分５６ａが形成されている。また、図１１に示すように、補助ナット５０および段差部５６におけるネジ穴５２の下方には、このネジ穴５２の直径よりも大きな直径の円形の断面の穴５４が形成されており、この穴５４にはＬＲボルト１０の第１のネジ部１４が入るようになっている。すなわち、穴５４の直径は、ＬＲボルト１０の第１のネジ部１４の直径よりも大きくなっている。
【００３２】
図１３乃至図１５に示すように、本体ナット６０は例えば六角ナットから構成されており、この本体ナット６０の上面には、略円盤形状の段差部６４が取り付けられている。また、本体ナット６０には、断面が略円形であるネジ穴６２が形成されている。このネジ穴６２は本体ナット６０および段差部６４を貫通するようになっている。また、ネジ穴６２の内周面には、ＬＲボルト１０の第１のネジ部１４における右ネジの雄ネジ部分１４ａに対応する雌ネジ部分６２ａが形成されている。そして、本体ナット６０のネジ穴６２の雌ネジ部分６２ａにＬＲボルト１０の第１のネジ部１４の雄ネジ部分１４ａが螺合されることにより、ＬＲボルト１０の第１のネジ部１４に本体ナット６０が取り付けられるようになっている。より詳細には、ＬＲボルト１０の第１のネジ部１４に対して、本体ナット６０を図１３における右回り（時計回りの方向）に回転させながらネジ穴６２の雌ネジ部分６２ａに第１のネジ部１４の雄ネジ部分１４ａが嵌まり込むようにする。また、図１３乃至図１５に示すように、段差部６４の上面には、後述するスプリングワッシャー７０の第１の端部７０ａが引っ掛かるような複数の段差部分６４ａが形成されている。
【００３３】
スプリングワッシャー７０の構成の詳細について図１６および図１７を用いて説明する。図１６および図１７は、それぞれ、スプリングワッシャー７０の側面図および上面図である。図１６および図１７に示すように、スプリングワッシャー７０は、いわゆるリング形状の一部が切れたものとなっており、その中心の近傍の箇所には断面が略円形である貫通穴７２が形成されている。また、スプリングワッシャー７０の第１の端部７０ａと第２の端部７０ｂとの間には隙間が形成されている。また、スプリングワッシャー７０は、単一の平面上に沿った構成のものではなく、第１の端部７０ａおよび第２の端部７０ｂの位置がずれているようなねじれた形状となっている。また、スプリングワッシャー７０の材料は例えばステンレスや鉄等である。なお、スプリングワッシャー７０は弾性変形することができるようになっていてもよい。
【００３４】
次に、本実施の形態の締結器具を用いて第１の部材１００に第２の部材１０２を固定するときの動作について以下に説明する。
【００３５】
最初に、ＬＲボルト１０の第１のネジ部１４および第２のネジ部１６を、第１の部材１００および第２の部材１０２にそれぞれ形成されている貫通穴（図示せず）に通すことにより、ＬＲボルト１０の第１のネジ部１４および第２のネジ部１６が第２の部材１０２から突出するようにする。次に、本体ナット６０をＬＲボルト１０の第１のネジ部１４に取り付ける。具体的には、ＬＲボルト１０の第１のネジ部１４に対して、本体ナット６０を図１３における右回り（時計回りの方向）に回転させながらネジ穴６２の雌ネジ部分６２ａに第１のネジ部１４の雄ネジ部分１４ａが嵌まり込むようにする。また、本体ナット６０が第２の部材１０２に接触するまで本体ナット６０をＬＲボルト１０の第１のネジ部１４に締め付ける。次に、ＬＲボルト１０の第１のネジ部１４および第２のネジ部１６にスプリングワッシャー７０を取り付ける。具体的には、ＬＲボルト１０の第１のネジ部１４および第２のネジ部１６が、スプリングワッシャー７０の貫通穴７２を貫通するようにする。また、この際に、スプリングワッシャー７０の第１の端部７０ａが本体ナット６０の段差部６４に接触するようにする。その後、本体ナット６０との間でスプリングワッシャー７０を挟みこむよう、補助ナット５０をＬＲボルト１０の第２のネジ部１６に取り付ける。具体的には、ＬＲボルト１０の第２のネジ部１６に対して、補助ナット５０を図１０における左回り（反時計回りの方向）に回転させながらネジ穴５２の雌ネジ部分５２ａに第２のネジ部１６の雄ネジ部分１６ａが嵌まり込むようにする。また、この際に、スプリングワッシャー７０の第２の端部７０ｂが補助ナット５０の段差部５６に接触するようにする。このようにして、図９に示すように、スプリングワッシャー７０を挟んだ状態で本体ナット６０および補助ナット５０がそれぞれＬＲボルト１０の第１のネジ部１４および第２のネジ部１６に取り付けられるようになる。
【００３６】
このような締結器具では、本体ナット６０および補助ナット５０がＬＲボルト１０から緩みにくくなるという作用効果が得られる。具体的には、本実施の形態では、上述したように、ＬＲボルト１０において第１のネジ部１４および第２のネジ部１６はネジ山の巻く向きが逆向きとなっており、第１のネジ部１４および第２のネジ部１６にそれぞれ本体ナット６０および補助ナット５０が取り付けられている。このため、第１の部材１００や第２の部材１０２等に衝撃が与えられたり、ＬＲボルト１０や本体ナット６０自体に衝撃が与えられたりすることにより、本体ナット６０に対してＬＲボルト１０の第１のネジ部１４から緩む方向の力がかかったとしても、補助ナット５０はＬＲボルト１０の第２のネジ部１６から緩まないため、本体ナット６０がＬＲボルト１０の第１のネジ部１４から緩むことが防止される。具体的には、本体ナット６０がＬＲボルト１０の第１のネジ部１４から緩もうとしたときに、すなわち、本体ナット６０が左回り（図９を上方から見て反時計回りの方向）に回転しようとしたときに、スプリングワッシャー７０の第１の端部７０ａが本体ナット６０の段差部６４の段差部分６４ａに引っ掛かると、本体ナット６０はこれ以上左回りに回転することができなくなる。このため、本体ナット６０がＬＲボルト１０の第１のネジ部１４から緩んでしまうことが抑制される。また、補助ナット５０がＬＲボルト１０の第２のネジ部１６から緩もうとした場合にも、すなわち、補助ナット５０が右回り（図９を上方から見て時計回りの方向）に回転しようとした場合にも、スプリングワッシャー７０の第２の端部７０ｂが補助ナット５０の段差部５６の段差部分５６ａに引っ掛かると、補助ナット５０はこれ以上右回りに回転することができなくなる。このため、補助ナット５０がＬＲボルト１０の第２のネジ部１６から緩んでしまうことが抑制される。
【００３７】
なお、本実施の形態の締結器具は、上記の構成に限定されることはない。本実施の形態の締結器具の他の例として、ＬＲボルト１０の第１のネジ部１４の外周面に、右ネジではなく左ネジの雄ネジ部分１４ａが形成されており、本体ナット６０のネジ穴６２の内周面に、左ネジの雄ネジ部分１４ａが螺合する雌ネジ部分６２ａが形成されていてもよい。この場合には、ＬＲボルト１０の第２のネジ部１６の外周面に、左ネジではなく右ネジの雄ネジ部分１６ａが形成され、補助ナット５０のネジ穴５２の内周面に、右ネジの雄ネジ部分１６ａが螺合する雌ネジ部分５２ａが形成されるようになる。このような締結器具でも、ＬＲボルト１０において第１のネジ部１４および第２のネジ部１６はネジ山の巻く向きが逆向きとなっているため、本体ナット６０がＬＲボルト１０から緩んでしまうことを抑制することができるようになる。
【００３８】
〔第３の実施の形態〕
次に、本発明の更に他の実施の形態について説明する。図１８乃至図２２は、本発明の第３の形態に係る締結器具である。本実施の形態に係る締結器具も、例えば第１の部材１００に第２の部材１０２を固定するものである。このような締結器具の構成の詳細について以下に説明する。
【００３９】
図１８に示すように、本実施の形態に係る締結器具は、ＬＲボルト１０と、補助ナット８０と、本体ナット９０と、スプリングワッシャー７０とを備えており、スプリングワッシャー７０を間に挟んだ状態で補助ナット８０および本体ナット９０がＬＲボルト１０に取り付けられるようになっている。このような締結器具の各構成要素の詳細について以下に説明する。なお、ＬＲボルト１０の構成は、第１の実施の形態において図２を用いて説明したＬＲボルト１０と同一の構成となっているためその説明を省略する。また、スプリングワッシャー７０の構成は、第２の実施の形態において図１６および図１７を用いて説明したスプリングワッシャー７０と同一の構成となっているためその説明を省略する。
【００４０】
図１９および図２０に示すように、補助ナット８０は例えば六角ナットから構成されており、この補助ナット８０の底面には、略円盤形状の段差部８６および略円柱形状の突起部８８が取り付けられている。ここで、段差部８６は突起部８８の周囲に形成されている。また、図２０において突起部８８は段差部８６よりも下方に突出するようになっている。また、突起部８８の直径は、スプリングワッシャー７０の貫通穴７２の直径よりも小さくなっている。このことにより、スプリングワッシャー７０を補助ナット８０の突起部８８の周囲に配置することができるようになる。また、補助ナット８０には、断面が略円形であるネジ穴８２が形成されている。ここで、ネジ穴８２の内周面には、ＬＲボルト１０の第２のネジ部１６における左ネジの雄ネジ部分１６ａに対応する雌ネジ部分８２ａが形成されている。そして、補助ナット８０のネジ穴８２の雌ネジ部分８２ａにＬＲボルト１０の第２のネジ部１６の雄ネジ部分１６ａが螺合されることにより、ＬＲボルト１０の第２のネジ部１６に補助ナット８０が取り付けられるようになっている。より詳細には、ＬＲボルト１０の第２のネジ部１６に対して、補助ナット８０を図１９における左回り（反時計回りの方向）に回転させながらネジ穴８２の雌ネジ部分８２ａに第２のネジ部１６の雄ネジ部分１６ａが嵌まり込むようにする。また、図１９および図２０に示すように、段差部８６の底面には、スプリングワッシャー７０の第２の端部７０ｂが引っ掛かるような複数の段差部分８６ａが形成されている。また、図２０に示すように、補助ナット８０および突起部８８におけるネジ穴８２の下方には、このネジ穴８２の直径よりも大きな直径の円形の断面の穴８４が形成されており、この穴８４にはＬＲボルト１０の第１のネジ部１４が入るようになっている。すなわち、穴８４の直径は、ＬＲボルト１０の第１のネジ部１４の直径よりも大きくなっている。
【００４１】
図２１および図２２に示すように、本体ナット９０は例えば六角ナットから構成されており、この本体ナット９０の上面には、略円盤形状の段差部９４および略円柱形状の突起部９８が取り付けられている。ここで、段差部９４は突起部９８の周囲に形成されている。また、図２２において突起部９８は段差部９４よりも上方に突出するようになっている。また、突起部９８の直径は、スプリングワッシャー７０の貫通穴７２の直径よりも小さくなっている。このことにより、スプリングワッシャー７０を本体ナット９０の突起部９８の周囲に配置することができるようになる。また、本体ナット９０には、断面が略円形であるネジ穴９２が形成されている。このネジ穴９２は本体ナット９０、段差部９４および突起部９８を貫通するようになっている。また、ネジ穴９２の内周面には、ＬＲボルト１０の第１のネジ部１４における右ネジの雄ネジ部分１４ａに対応する雌ネジ部分９２ａが形成されている。そして、本体ナット９０のネジ穴９２の雌ネジ部分９２ａにＬＲボルト１０の第１のネジ部１４の雄ネジ部分１４ａが螺合されることにより、ＬＲボルト１０の第１のネジ部１４に本体ナット９０が取り付けられるようになっている。より詳細には、ＬＲボルト１０の第１のネジ部１４に対して、本体ナット９０を図２１における右回り（時計回りの方向）に回転させながらネジ穴９２の雌ネジ部分９２ａに第１のネジ部１４の雄ネジ部分１４ａが嵌まり込むようにする。また、図２１および図２２に示すように、段差部９４の上面には、スプリングワッシャー７０の第１の端部７０ａが引っ掛かるような複数の段差部分９４ａが形成されている。
【００４２】
次に、本実施の形態の締結器具を用いて第１の部材１００に第２の部材１０２を固定するときの動作について以下に説明する。
【００４３】
最初に、ＬＲボルト１０の第１のネジ部１４および第２のネジ部１６を、第１の部材１００および第２の部材１０２にそれぞれ形成されている貫通穴（図示せず）に通すことにより、ＬＲボルト１０の第１のネジ部１４および第２のネジ部１６が第２の部材１０２から突出するようにする。次に、本体ナット９０をＬＲボルト１０の第１のネジ部１４に取り付ける。具体的には、ＬＲボルト１０の第１のネジ部１４に対して、本体ナット９０を図２１における右回り（時計回りの方向）に回転させながらネジ穴９２の雌ネジ部分９２ａに第１のネジ部１４の雄ネジ部分１４ａが嵌まり込むようにする。また、本体ナット９０が第２の部材１０２に接触するまで本体ナット９０をＬＲボルト１０の第１のネジ部１４に締め付ける。次に、ＬＲボルト１０の第１のネジ部１４および第２のネジ部１６にスプリングワッシャー７０を取り付ける。具体的には、ＬＲボルト１０の第１のネジ部１４および第２のネジ部１６が、スプリングワッシャー７０の貫通穴７２を貫通するようにする。また、この際に、スプリングワッシャー７０の第１の端部７０ａが本体ナット９０の段差部９４に接触するようにする。また、スプリングワッシャー７０が本体ナット９０の突起部９８の周囲に配置されるようにする。その後、本体ナット９０との間でスプリングワッシャー７０を挟みこむよう、補助ナット８０をＬＲボルト１０の第２のネジ部１６に取り付ける。具体的には、ＬＲボルト１０の第２のネジ部１６に対して、補助ナット８０を図１９における左回り（反時計回りの方向）に回転させながらネジ穴８２の雌ネジ部分８２ａに第２のネジ部１６の雄ネジ部分１６ａが嵌まり込むようにする。この際に、スプリングワッシャー７０が補助ナット８０の突起部８８の周囲に配置されるようにする。また、図１８に示すように、本体ナット９０の突起部９８の上面と補助ナット８０の突起部８８の底面とが接触するまで補助ナット８０をＬＲボルト１０の第２のネジ部１６に締め付けるようにする。このことにより、スプリングワッシャー７０の第２の端部７０ｂが補助ナット８０の段差部８６に接触するようになる。このようにして、図１８に示すように、スプリングワッシャー７０を挟んだ状態で本体ナット９０および補助ナット８０がそれぞれＬＲボルト１０の第１のネジ部１４および第２のネジ部１６に取り付けられるようになる。
【００４４】
このような締結器具では、本体ナット９０および補助ナット８０がＬＲボルト１０から緩みにくくなるという作用効果が得られる。具体的には、本実施の形態では、上述したように、ＬＲボルト１０において第１のネジ部１４および第２のネジ部１６はネジ山の巻く向きが逆向きとなっており、第１のネジ部１４および第２のネジ部１６にそれぞれ本体ナット９０および補助ナット８０が取り付けられている。このため、第１の部材１００や第２の部材１０２等に衝撃が与えられたり、ＬＲボルト１０や本体ナット９０自体に衝撃が与えられたりすることにより、本体ナット９０に対してＬＲボルト１０の第１のネジ部１４から緩む方向の力がかかったとしても、補助ナット８０はＬＲボルト１０の第２のネジ部１６から緩まないため、本体ナット９０がＬＲボルト１０の第１のネジ部１４から緩むことが防止される。具体的には、本体ナット９０がＬＲボルト１０の第１のネジ部１４から緩もうとしたときに、すなわち、本体ナット９０が左回り（図１８を上方から見て反時計回りの方向）に回転しようとしたときに、スプリングワッシャー７０の第１の端部７０ａが本体ナット９０の段差部９４の段差部分９４ａに引っ掛かると、本体ナット９０はこれ以上左回りに回転することができなくなる。このため、本体ナット９０がＬＲボルト１０の第１のネジ部１４から緩んでしまうことが抑制される。また、補助ナット８０がＬＲボルト１０の第２のネジ部１６から緩もうとした場合にも、すなわち、補助ナット８０が右回り（図１８を上方から見て時計回りの方向）に回転しようとした場合にも、スプリングワッシャー７０の第２の端部７０ｂが補助ナット８０の段差部８６の段差部分８６ａに引っ掛かると、補助ナット８０はこれ以上右回りに回転することができなくなる。このため、補助ナット８０がＬＲボルト１０の第２のネジ部１６から緩んでしまうことが抑制される。
【００４５】
なお、本実施の形態の締結器具は、上記の構成に限定されることはない。本実施の形態の締結器具の他の例として、ＬＲボルト１０の第１のネジ部１４の外周面に、右ネジではなく左ネジの雄ネジ部分１４ａが形成されており、本体ナット９０のネジ穴９２の内周面に、左ネジの雄ネジ部分１４ａが螺合する雌ネジ部分９２ａが形成されていてもよい。この場合には、ＬＲボルト１０の第２のネジ部１６の外周面に、左ネジではなく右ネジの雄ネジ部分１６ａが形成され、補助ナット８０のネジ穴８２の内周面に、右ネジの雄ネジ部分１６ａが螺合する雌ネジ部分８２ａが形成されるようになる。このような締結器具でも、ＬＲボルト１０において第１のネジ部１４および第２のネジ部１６はネジ山の巻く向きが逆向きとなっているため、本体ナット９０がＬＲボルト１０から緩んでしまうことを抑制することができるようになる。
【符号の説明】
【００４６】
１０    ＬＲボルト
１２    ヘッド部
１４    第１のネジ部
１４ａ  雄ネジ部分
１６    第２のネジ部
１６ａ  雄ネジ部分
２０    補助ナット
２２    ネジ穴
２２ａ  雌ネジ部分
２４    中空部分
３０    本体ナット
３２    ネジ穴
３２ａ  雌ネジ部分
４０    スリーブ
４２    貫通穴
５０    補助ナット
５２    ネジ穴
５２ａ  雌ネジ部分
５４    穴
５６    段差部
５６ａ  段差部分
６０    本体ナット
６２    ネジ穴
６２ａ  雌ネジ部分
６４    段差部
６４ａ  段差部分
７０    スプリングワッシャー
７０ａ  第１の端部
７０ｂ  第２の端部
７２    貫通穴
８０    補助ナット
８２    ネジ穴
８２ａ  雌ネジ部分
８４    穴
８６    段差部
８６ａ  段差部分
８８    突起部
９０    本体ナット
９２    ネジ穴
９２ａ  雌ネジ部分
９４    段差部
９４ａ  段差部分
９８    突起部
１００  第１の部材
１０２  第２の部材
【図１】
2020109313.tif 000003
【図２】
2020109313.tif 000004
【図３】
2020109313.tif 000005
【図４】
2020109313.tif 000006
【図５】
2020109313.tif 000007
【図６】
2020109313.tif 000008
【図７】
2020109313.tif 000009
【図８】
2020109313.tif 000010
【図９】
2020109313.tif 000011
【図１０】
2020109313.tif 000012
【図１１】
2020109313.tif 000013
【図１２】
2020109313.tif 000014
【図１３】
2020109313.tif 000015
【図１４】
2020109313.tif 000016
【図１５】
2020109313.tif 000017
【図１６】
2020109313.tif 000018
【図１７】
2020109313.tif 000019
【図１８】
2020109313.tif 000020
【図１９】
2020109313.tif 000021
【図２０】
2020109313.tif 000022
【図２１】
2020109313.tif 000023
【図２２】
2020109313.tif 000024